(57)【要約】  シガレット及び１つ又はそれよりも多くの周方向帯を有するシガレット包装紙、シガレットの構造的特徴部に対して個々のシガレットの帯が実質的に均一に位置決めされるように帯付きシガレット包装紙を作る方法、及び完成品シガレットの特徴部に対して帯が均一に位置決めされたシガレットを提供する。見当合わせした帯付き包装紙２３、その包装紙を使用するシガレット２０、及びその帯紙を用いてシガレットを作る方法は、各シガレット上の実質的に同じ位置で始まるシガレット紙の帯領域３２をもたらす。シガレットの端部から好ましい所定距離に位置決めされた帯領域を用いると、そのような紙で作られたシガレットは、ランダム又は準ランダムに位置決めされた帯領域に比較して改善された着火傾向を示す。【選択図】図１
2010537066.tif 000002
【特許請求の範囲】
【請求項１】
喫煙物品の見当合わせした帯付き包装紙であって、
見当合わせした帯付き包装紙上の第１の位置で始まり、見当合わせした帯付き包装紙上の第２の位置で終わる帯間隔が、パターン：Ｋ1、Ｋ2、Ｋ3、Ｋ2、Ｋ1を有し、
Ｋ1は、見当合わせした帯付き包装紙上の前記第１の位置と第１の帯との間の間隔に対応し、
Ｋ2は、第１の帯と最後の帯との間の間隔に対応し、かつ
Ｋ3は、前記最後の帯と、見当合わせした帯付き包装紙上の第２の位置との間の間隔の２倍に対応する、
ことを特徴とする包装紙。
【請求項２】
前記パターンは、繰り返すことを特徴とする請求項１に記載の見当合わせした帯付き包装紙。
【請求項３】
Ｋ3＝２Ｋ1であることを特徴とする請求項１に記載の見当合わせした帯付き包装紙。
【請求項４】
Ｋ1は、約１２ｍｍから１８ｍｍの範囲にあることを特徴とする請求項１に記載の見当合わせした帯付き包装紙。
【請求項５】
Ｋ1は、約１５ｍｍであることを特徴とする請求項１に記載の見当合わせした帯付き包装紙。
【請求項６】
Ｋ3は、約２０ｍｍから４０ｍｍの範囲にあることを特徴とする請求項１に記載の見当合わせした帯付き包装紙。
【請求項７】
Ｋ3は、約２０ｍｍであることを特徴とする請求項１に記載の見当合わせした帯付き包装紙。
【請求項８】
見当合わせした帯付き包装紙から形成された長さｌを有するタバコロッドが、幅ｗのｎ個の帯を含み、
ｎは、２よりも大きいか又はそれに等しく、かつ１０未満か又はそれに等しい、
ことを特徴とする請求項１に記載の見当合わせした帯付き包装紙。
【請求項９】
ｗは、約５ｍｍから７ｍｍの範囲にあることを特徴とする請求項８に記載の見当合わせした帯付き包装紙。
【請求項１０】
ｌは、約５０ｍｍから１００ｍｍの範囲にあることを特徴とする請求項８に記載の見当合わせした帯付き包装紙。
【請求項１１】
請求項１に記載の見当合わせした帯付き包装紙を作る方法であって、
ベースウェブに帯を付加する段階、
を含み、
前記ベースウェブ上の第１の位置から始まり、該ベースウェブ上の第２の位置で終わる帯間隔が、パターン：Ｋ1、Ｋ2、Ｋ3、Ｋ2、Ｋ1を有し、
Ｋ1は、前記ベースウェブ上の前記第１の位置と第１の帯との間の間隔に対応し、
Ｋ2は、第１の帯と最後の帯との間の間隔に対応し、かつ
Ｋ3は、前記最後の帯と前記ベースウェブ上の第２の位置との間の間隔の２倍に対応する、
ことを特徴とする方法。
【請求項１２】
シガレットタバコロッドを作る方法であって、
請求項１に記載の見当合わせした帯付き包装紙をカット充填タバコの周りに包んでタバコロッドを作る段階と、
前記タバコロッドをシガレットタバコロッドの長さに薄切りにする段階と、
を含むことを特徴とする方法。
【請求項１３】
着火可能端部を有する所定の長さのタバコロッドと、
前記タバコロッドを取り囲む包装紙と、
を含み、
前記包装紙は、前記タバコロッドの前記着火可能端部から実質的に均一な所定のオフセットだけ離間した少なくとも１つのほぼ周方向の帯を含む、
ことを特徴とするシガレット。
【発明の詳細な説明】
【技術分野】
【０００１】
本発明の開示は、広くはシガレット及び１つ又はそれよりも多くの周方向帯を有するシガレット包装紙に関する。更に、本発明の開示は、シガレットの構造的特徴部に対して個々のシガレットの帯が実質的に均一に位置決めされるように帯付きシガレット包装紙を作る方法に関する。他の態様では、本発明の開示は、完成品シガレットの特徴部に対して帯が均一に位置決めされたシガレットに関する。
【背景技術】
【０００２】
従来、シガレットのための帯付き包装紙は、好ましい公称距離だけ紙の長さに沿って縦方向に離間した好ましい幅の帯を見せている。その紙を使用して、完成品シガレットは、着火可能端部、又はフィルタ端部、又は唇側端部、又はフィルタ自体のようなシガレットの構造的特徴部に対してランダムに又は準ランダムに位置決めされた帯を有していた。
【先行技術文献】
【特許文献】
【０００３】
【特許文献１】ＵＳ６５９６１２５
【特許文献２】ＵＳ５４１７２２８
【特許文献３】ＵＳ５４７４０９５
【特許文献４】ＵＳ５５３４１１４
【特許文献５】ＵＳ５１４４９６４
【発明の概要】
【発明が解決しようとする課題】
【０００４】
自己消火性及び燃焼促進などを調節するためにシガレットが帯付き包装紙を組み込む場合、そのランダム又は準ランダムな帯の位置決めは、自己消火性及び燃焼促進などのような特性に矛盾した結果を与えることがある。現在では、規制当局は、特定の行政管轄で販売に供せられるシガレットに対する自己減光性のような特性に対して要件を課し始めている。シガレットの構造的特徴部におけるそのランダム性又は準ランダム性は、この規定の順守を複雑にする可能性がある。
【課題を解決するための手段】
【０００５】
本発明の開示の方法によれば、シガレットタバコロッドに対する公称完成品長さを選択することができる。完成品シガレットの構造的特徴部に対する少なくとも１つの帯に対する所定の位置も、選択又は判断することができる。各完成品シガレットに対する帯の数も、選ぶか又は選択することができる。帯に対する所定の幅は、帯幅の好ましい範囲から選択することができ、幅は、タバコロッドの縦方向長さに沿って測定される。所定帯幅と所定位置は、次に、帯の位置決めが各完成品シガレット上で実質的に同じ位置に生じるようにシガレット紙の帯間の間隔を調整することにより、タバコロッドの公称完成品長さと相互に関連付けられる。
【０００６】
本発明の開示によるシガレット紙は、１つ又はそれよりも多くの帯幅と帯間の間隔との間の関係がタバコロッドの公称長さに対応するように、互いに離間した横帯を有する。好ましくは、シガレット紙は、上述の特徴部に従って位置決めされた帯を有する。
本発明の開示による完成品シガレットは、公称長さのタバコロッドを有し、フィルタを含むことができ、好ましくは、上述のシガレット紙を用いて製造することができる。シガレット、具体的には、タバコロッドは、着火可能端部を有する。タバコロッドはまた、唇側端部又はフィルタ端部を有する。フィルタが使用される場合、それは、従来方法でタバコロッドのフィルタ端部に取り付けられる。シガレットのための包装紙は、好ましくは、着火可能端部又はフィルタ端部のいずれかから第１の所定距離に位置する少なくとも１つの帯を含み、この所定距離は、基本的に１つのシガレットから次のシガレットまで一定である。必要に応じて、着火可能端部及びフィルタ端部の他方から第２の所定距離に別の帯を位置決めすることができる。更に、必要に応じて、各シガレット上に２つよりも多くの帯を設けることができる。
好ましくは、第１の所定距離は、着火可能端部から約１２ｍｍから約１８ｍｍ、最も好ましくは約１５ｍｍの範囲に選択される。更に、帯幅の好ましい範囲は、約５ｍｍから約７ｍｍの間に入る。
【０００７】
完成品シガレット構造に対して帯位置が見当合わせされたシガレットを作るための帯付きシガレット紙の第１の位置から始めて、そのシガレット紙の第２の位置で終わると、以下のパターン、すなわち、Ｋ1、Ｋ2、Ｋ3、Ｋ2、Ｋ1が存在する。ここで、Ｋ1は、完成品シガレット構造上の第１の所定距離と第１の帯との間の間隔に対応し、Ｋ2は、完成品シガレットの第１の帯と最後の帯との間の間隔に対応し、Ｋ3は、第２の所定の間隔、すなわち、完成品シガレット構造上の最後の帯と第２の位置（例えば、フィルタ端部又は唇側端部）との間の２倍に対応する。そのパターンに対して、２Ｋ1＋２Ｋ2＋Ｋ3＋４ｗの合計は、基本的に２ｌに等しく、ここで、ｗは、帯の幅であり、ｌは、完成品シガレットに対するタバコロッドの公称長さである。
【図面の簡単な説明】
【０００８】
【図１】本発明の開示によるシガレットの斜視図である。
【図２】本発明の開示による包装紙の第１の実施形態の平面図を示している。
【図３】本発明の開示による包装紙の第２の実施形態の平面図を示している。
【図４】本発明の開示による包装紙の第３の実施形態の平面図を示している。
【図５】ランダムに位置決めされた帯領域を有するシガレットのパーセント全長燃焼に対するシガレットの着火端部から１２−１８ｍｍで始まる帯領域を有するシガレットのパーセント全長燃焼のグラフである。
【図６】シガレット製造工程の一部分を示す概略図である。
【発明を実施するための形態】
【０００９】
本明細書で使用される「見当合わせ」又は「見当合わせした」は、実質的に厳密に対応するように作る又は調整することを意味し、シガレット又はシガレットタバコロッドの「着火可能端部」又は「着火端部」は、喫煙が始まる時に着火されるように意図されたシガレット又はシガレットタバコロッドの端部を意味する。シガレットの着火端部からの帯領域が始まる位置の見当合わせは、更に、シガレット自己消火の数を最小にするのに使用することができる。数に関連して用語「約」が使用される場合、このような数は、±５％の公差を有するように意図される。
【００１０】
タバコ
本発明の開示により作られるシガレットに対して、使用することができる適切な種類のタバコ材料は、以下に限定されるものではないが、煙道乾燥タバコ、Ｂｕｒ１ｅｙタバコ、Ｍａｒｙ１ａｎｄタバコ、０ｒｉｅｎｔａ１タバコ、レアタバコ、特製タバコ、及びそれらの配合物などを含む。タバコ材料は、以下に限定されるものではないが、（ｉ）カット充填タバコ、（ｉｉ）タバコ葉、（ｉｉｉ）体積膨張又はパフタバコのような加工タバコ材料、（ｉｖ）カット−ロール又はカット−パフ状茎のような加工タバコ茎、（ｖ）再構成タバコ材料、及び（ｖｉ）それらの配合物を含むいずれかの適切な形態で提供することができる。タバコ代替品を使用することもできる。カット充填タバコが好ましい。
【００１１】
従来的なシガレット製造では、タバコは、通常は、カット充填物の形態、すなわち、約２．５ｍｍ（１／１０インチ）から約１ｍｍ（１／２０インチ）の範囲の幅又は更に約０．５ｍｍ（１／４０インチ）の幅に切断した断片又はストランドの形態で使用される。個々のタバコストランドの長さは、約６ｍｍ（０．２５インチ）から約７５ｍｍ（３．０インチ）の範囲である。シガレットに対して使用されるタバコ材料は、１つ又はそれよりも多くの香味料、又は他の適切な添加剤（例えば、燃焼添加物、燃焼改良剤、着色剤、結合剤など）を更に含むことができる。
【００１２】
シガレット構造
図１に移ると、本発明の開示によるシガレット２０は、典型的には、着火可能端部２６と第２の端部３４とを有するタバコロッド２２を含む。第２の端部３４は、唇側端部とするか、又は端部２８を有するフィルタ２４を設けることができる。従来は、フィルタ２４は、先端紙２５によってタバコロッド２２に取り付けられる。タバコロッド２２は、上述のようにある一定の量のタバコ材料を含み、かつ包装紙２３によって取り囲まれる。
【００１３】
ある一定の行政管轄区は、現在、販売に供せられるシガレットが、特定状況下で所定の担体上に載っている時に着火端部２６からフィルタ端部３４まで燃焼することになるシガレットの部分を統計的に定義する着火傾向要件に適合すべきであることを要求している。例えば、「ＡＳＴＥＭ規格Ｅ２１８７−０４」は、そのような着火傾向要件を満足させるための信頼できる試験プロトコルである。これらの要件に合致する１つの方法は、タバコロッド２２に沿って離間した１つ又はそれよりも多くの帯領域３０、３２の設置を伴う。これらの帯３０、３２は、包装紙２３の一部であり、タバコロッド２２の周りで周方向に延びることができる。帯は、一般的に、約５ｍｍから約７ｍｍの範囲のタバコロッドの縦軸線に沿って測定された幅を有する。
【００１４】
従来のシガレット製造では、タバコロッドは、その縦軸線に沿って移動する包装紙として形成される。タバコ材料は、移動する包装紙上に堆積され、これは、次に、タバコの周りを包み、切断されてタバコロッド２２を形成する。従来、この従来型シガレット製造工程は、シガレットの着火可能端部２６に対する帯３０のランダム又は準ランダム位置決めをもたらすものである。
本発明の開示によれば、第１の帯３０は、シガレットの着火された又は着火可能な端部２６から第１の所定距離に位置することが好ましい。好ましくは、その所定距離は、約１２ｍｍから約１８ｍｍの範囲に入る。シガレット製造中にその所定距離が実質的に均等に維持されると、得られるシガレット２０は、試験すると改善された着火傾向性能を有する。
【００１５】
帯付きシガレット紙
本発明に開示する帯付きシガレット紙２３は、ベースウェブに付加スラリ材料の所定パターンを好ましくは横方向に延びるストライプの形態で付加する方法及び装置に関連する、全体が引用により本明細書に組み込まれている本出願人所有のＵＳ６５９６１２５に開示するような方法でかつそのような装置を使用して製造することができる。より詳細には、この特許は、追加材料の帯領域を有するシガレット紙を生産する方法及び装置に関する。そこに開示されるように、帯領域は、帯領域間に位置するベースウェブの領域よりも遅い燃焼速度を示すことができる。帯付きシガレット紙に関する更に別の開示は、本出願人所有のＵＳ５４１７２２８、ＵＳ５４７４０９５、及びＵＳ５５３４１１４を含み、その全体がそれぞれ引用により本明細書に組み込まれている。帯領域はまた、印刷、特にグラビア印刷のような他の技術によって形成することができる。全体が引用により本明細書に各々組み込まれている本出願人所有のＵＳ５４１７２２８及びＵＳ５１４４９６４を参照されたい。帯領域の幅は、好ましくは約５ｍｍから約７ｍｍの範囲に入り、より好ましくは約６ｍｍである。
得られる帯付きシガレット包装紙２３は、典型的にはボビン上に巻き付けられる。各ボビンは、例えば、長さが約６０００メートル程度の紙のストリップを保持することができる。ボビン上の紙ストリップの幅は、形成されるシガレットの円周に関連付けられる。幅は、通常は、接着ストリップ区域を十分に含むようにシガレットの円周を超える。
【００１６】
シガレット生産
図６を参照すると、シガレットの生産では、カット充填タバコ１０１は、タバコロッド製造機１０３においてボビン１０４から供給されたシガレット包装紙２３の前進するストリップに沿って連続して配置される。包装紙は、充填タバコの周りを包み、実質的に連続した長い円柱体１０６を作る。円柱体１０６は、２つの個々のシガレット２０、２０’を作るのに適する２−アップロッド１０８に切り離される。例えば（図２参照）、円柱体は、公称長さ２ｌを有するタバコロッド１０８を生産するために、タバコロッド製造機１０３の位置４０、４０’において横方向に切断することができる。２−アップタバコロッド１０８は、次に２−アップタバコロッド１０８が、位置４２で２つのタバコロッド２２、２２’に切り離され、それらが離されてその間に２−アップフィルタセグメント１１２を受け取る「Ｈａｎａｕ  ＭＡＸ」のような先端付け機械１１０に給送される。２−アップフィルタセグメント１１２は、先端紙１１４を使用してシガレットタバコロッド２２、２２’の縦方向に離間した組に取り付けられる。２倍長シガレットアセンブリ１１６は、次に、半分に切り離されて２つの完成品シガレット２０、２１を生成する（図１参照）。多重タバコロッドは、２−アップ、４−アップ、又は６−アップなどであること、及び他の先端付け作業を使用することが可能でなる。
【００１７】
帯領域３０は、着火傾向の望ましい低減を達成するために追加の付加材料及び／又は燃焼速度修正剤を含むことができる。追加的に又は代替的に、帯領域３０は、シガレットの主観的品質を付与するのに使用することができる。例えば、帯領域は、香味料を含むことができる。香味料を含む帯領域は、シガレット紙の非帯領域と同じ燃焼速度を示すことができ、又はシガレット紙の隣接する非帯領域と比較してより遅い燃焼速度を示すこともできる。
各帯領域３０、３２は、くすぶっている木炭が最初に前縁３１に接近するという意味で、前縁３１と後縁３３を有するように構成される。
【００１８】
完成品シガレットにおける帯領域の場所又は位置は、帯付きシガレット紙を使用して作られたタバコロッドから薄切りにされたシガレットタバコロッドの公称長さｌに依存する。上述のように、帯は、典型的には一定幅を有する。シガレット包装紙のストリップの全ての帯が均等な間隔を有する場合（すなわち、１つの帯領域の端部、すなわち、後縁３３から次の帯領域の始まり、すなわち、前縁３３までの距離が一定値である）、帯領域は、完成品シガレット上にランダム又は準ランダムに配列されることになる。
【００１９】
見当合わせ
本発明に開示するシガレット紙２３（図１参照）は、好ましくは、完成品シガレットの帯領域が、着火可能端部２６又は唇側端部３４又はその両方のような完成品シガレット２０の構造に対して位置決め又は見当合わせされるように設計される。本発明に開示するシガレット紙２３は、シガレット紙２３で作られた各タバコロッド２２が、１つは着火端部２６に対して見当合わせされ、１つはフィルタ端部３４又は２８に対して見当合わせされた少なくとも２つの帯領域３０、３２を有するように設計することができる。典型的には、各帯３０、３２は、シガレット紙２３の隣接する非帯領域と比較してより遅い燃焼速度を示す。
【００２０】
第１の帯領域３０は、シガレットタバコロッドの第１の端部（すなわち、着火端部２６）から所定距離ｄにある前縁ｅ３１で始まり、第２の帯領域３２は、その後縁３３がシガレットタバコロッド２２の第２の端部（すなわち、唇側端部又はフィルタ端部）から所定距離ｘにある。２つのシガレットを形成するための４つの帯領域を有するシガレット紙の連続ストリップの一部分を示す図２に示すように、各シガレットは、２つの帯領域を有する。好ましくは、シガレットタバコロッドの第２の端部（唇側端部）からの第２の帯領域の距離ｘは、８４ｍｍのキングサイズシガレットの場合、約１０ｍｍから約２０ｍｍの範囲に入り、より好ましくは約１０ｍｍである。
【００２１】
すなわち、見当合わせした帯付きシガレット紙は、帯付きシガレット紙２３上の第１の見当合わせ位置４０から始まり、見当合わせした帯付きシガレット紙２３上の第２の見当合わせ位置４４で終わる帯間隔を含む。見当合わせ位置４０、４４は、タバコロッド製造機の切断機が２−アップタバコロッド２２、２２’を形成するために繰返し切断する位置であり、見当合わせ位置４２は、先端付け機械上の切断機が２つのシガレット２０を形成するために２−アップタバコロッド２２、２２’を切断する位置である。紙（包装紙）２３には、長さ２ｌ毎に繰り返すパターンＫ1、Ｋ2、Ｋ3、Ｋ2、Ｋ1が設けられ、ここで、ｌは、公称タバコロッド長さであり、Ｋ1は、見当合わせした帯付きシガレット紙２３の第１の見当合わせ位置４０と第１の帯３０の前縁３１との間の間隔（又は第１の所定距離ｄ）に対応し、Ｋ2は、長さｌの範囲内で、第１の帯３０の後縁３１と包装紙の最後の帯３２（図１及び２の第２の帯）の前縁３１との間の間隔に対応し、Ｋ3は、最後の帯３２の後縁３３と帯付きシガレット紙２３の第２の見当合わせ位置４２との間の間隔の２倍に対応する。第１の見当合わせ位置４０と第２の見当合わせ位置４２の間の間隔は、好ましくは、使用されるタバコロッドの長さｌの整数倍に対応するように選択される。
好ましくは、パターンは、包装紙２３の長さに沿って複数回繰り返す。帯の好ましい間隔が、タバコロッドの着火端部及び唇側端部に対して同じ場合、パターンがＫ1、Ｋ2、２Ｋ1、Ｋ2、Ｋ1と同等であるように、Ｋ3は、２Ｋ1と等しくすることができる。
【００２２】
一般的に、見当合わせした帯付きシガレット紙で形成された所定長さｌを有するタバコロッド２２の各々がｗの幅を有するｎ個の帯を有することができ、ｎは、２よりも大きいか又はそれに等しい。好ましくは、ｎは、１０未満か又はそれに等しい。最も好ましくは、ｎは、２又は３に等しいとすることができる。長さｌと幅ｗのｎ帯とを有するタバコロッドの場合、以下のようになる。
２Ｋ1＋２Ｋ2＋Ｋ3＝２（１−ｎｗ）
従って、先の関係を用いて、公称長さｌ、第１の所定距離ｄ、第２の所定距離ｘ、帯の数ｎ、及び各シガレットに対する帯の数ｎが既知であると、第１の帯の終わりと最後の帯の始まりの間の必要な間隔Ｋ2を判断することができる。
【００２３】
図３に移ると、シガレット紙２３の連続ストリップの一部分は、各シガレットが３つの帯領域を有する２つのシガレットを形成するための６つの帯領域３０、３２、５０の可能な配列を示している。帯領域３０、５０、３２間の帯間の間隔は、均一ではないが、必要に応じてその帯間の間隔を均一にすることができる。図４は、各シガレットが４つの帯領域を有する２つのシガレットを形成するための８つの帯領域３０、５２、５４、３２を含むシガレット紙２３の連続ストリップの一部分を示している。ここでもまた、帯領域３０、５２、５４、３４間の間隔は、図４では均一ではないが、その帯間の間隔は、必要に応じて均一にすることができる。
【００２４】
本発明に開示の帯付きシガレット紙２３で形成されたタバコロッド２２の隣接する帯間の間隔は、次のように表すことができる。
ｓ1は、第１の帯３０の後縁３３と第２の帯の前縁３１の間の距離であり、
ｓ2は、第２の帯の後縁３３と第３の帯の前縁３１の間の距離であり、
ｓn-1は、（ｎ−１）番目の帯と最後の帯３２の間の距離である。
すなわち、２つの帯を有するシガレットタバコロッドは、第２の帯が最後の帯なので、対応する距離ｓ1だけを有することになり、３つの帯を有するシガレットタバコロッドは、第３の帯が最後の帯なので、対応する距離ｓ1とｓ2を有することになり、ｎ個の帯を有するシガレットタバコロッドは、（ｎ−１）番目の帯が最後の帯なので、対応する距離、ｓ1、ｓ2、．．．、ｓnを有することになる。更に、Ｋ2は、第１の帯と最後の帯間の間隔に対応し、かつｗ（ｎ−２）＋ｓ1＋ｓ2＋．．．＋ｓn-1に等しい。ｎが、３よりも大きいか又はそれに等しい時、隣接する帯間の距離（すなわち、ｓ1、ｓ2、．．．、ｓn）は等しくすることができ、その場合、ｓ1＝ｓ2＝ｓn＝（１−ｎｗ−Ｋ1−Ｋ3）／ｎである。
シガレット上のランダム又は準ランダムに配列された帯領域を回避するために、帯の幅（すなわち、２つのシガレットタバコロッドに対する）に帯間隔のパターン（すなわち、Ｋ1、Ｋ2、Ｋ3、Ｋ2、Ｋ1）を加えたものは、見当合わせした帯付きシガレット紙で形成された２つのシガレットタバコロッドの長さ２ｌに対応するように作られる。
【００２５】
先の説明と図２〜図４から、包装紙２３がその縦方向長さに沿って繰返しパターンを示すことが分かるであろう。そのパターンは、好ましくは、シガレットのためのタバコロッドの公称長さｌの２倍に対応する所定長さを有する。その所定長さは、第１の見当合わせ位置４０から第２の見当合わせ位置４４まで測定される。更に、所定長さの範囲内で、パターンは、見当合わせ位置４２に対応する横軸線に関して対称である。喫煙物品の製造中に、タバコロッド製造機１０３（図６参照）は、例えば、所定長さの２−アップタバコロッドを形成するために第１及び第２の見当合わせ位置４０、４４で連続タバコロッド１０６を切断するか又はその他の方法で切断する。先端付け機械１１０は、得られる喫煙物品が、喫煙物品の着火可能又は着火端部に対して帯領域の実質的に均一な空間的位置決めを有するように、パターンに対する対称軸で２−アップタバコロッドを切断するか又はその他の方法で切断する。
【実施例１】
【００２６】
全てが１２％未満の様々なレベルのチョーク装填を使用して、一連のプロトタイプシガレットが調製された。プロトタイプシリーズは、以下の表でＡ、Ｂ、Ｃ、及びＤとして識別される。以下の表は、「ＡＳＴＭ規格Ｅ２１８７−０４」に従って行われたそれらのプロトタイプシガレットの試験をまとめている。
試験の結果は、プロトタイプに応じて及び着火端部から第１の帯領域の距離に応じて以下の表にまとめてある。最初のデータ列は、第１の帯領域３０がシガレットの着火端部から１２ｍｍから１８ｍｍ（ｄ又はＫ1）で始まる場合のシガレットの結果をまとめている。第２のデータ列は、第１の帯領域がシガレットの着火端部から１２ｍｍから１８ｍｍの領域の外側で始まる場合のシガレットの結果をまとめている。各プロトタイプに対して、試験時の「全長燃焼（ＦＬＢ）」及び「消火（ＥＸＴ）」の数が、同じくシガレットの着火端部からの距離の範囲に入る試験されたそのプロトタイプのシガレットの全数と共に記録された。本明細書で使用される消火は、非全長燃焼を意味する。要するに、シガレットが着火又は着火可能端部から１２ｍｍから１８ｍｍの範囲に第１の帯領域を有することを示すデータは、第１の帯領域がその範囲の外側にあるシガレットと対比された時に、自由長燃焼をもたらす実質的に減少したシガレットの百分率を示している。
【００２７】
（表）
2010537066.tif 000003
【００２８】
底の部分では、表は、全てのプロトタイプを用いて達成した結果をまとめている。好ましい範囲に第１の帯を用いたシガレットの場合、試験したシガレットの僅か約４．６％で自由長燃焼が発生した。対照的に、第１の帯が好ましい範囲の外側にあるシガレットは、試験したシガレットの約３１．２％で自由長燃焼が発生した。自由長燃焼の百分率は、着火傾向と関連するので、これらの試験は、好ましい範囲の外側にあるシガレットの着火傾向が、第１の帯が好ましい範囲の内側にあるシガレットの着火傾向のほぼ７倍であることを示している。
【００２９】
図５は、全てがランダムに配置された帯領域を有する表に一覧表示した４つのプロトタイプシガレット、並びに４つの追加プロトタイプシガレットに対するパーセント全長燃焼に対して、全てがシガレットの着火端部から１２ｍｍから１８ｍｍで始まる帯領域を有する表に一覧表示した４つのプロトタイプシガレット、並びに４つの追加プロトタイプシガレットに対するパーセント全長燃焼を比較するものである。ランダムに配置された帯領域は、シガレットの着火端部から１２ｍｍ未満で、シガレットの着火端部から１２ｍｍから１８ｍｍで、又はシガレットの着火端部から１８ｍｍを超えて始まることができる。破線は、データポイントの最適当て嵌めである。図５は、シガレットの着火端部から１２ｍｍから１８ｍｍで始まる帯領域を有するシガレットが、ランダムに配置された帯領域を有するシガレットと比較した時に、全長燃焼を示す見込みが低く、具体的にはほぼ３倍まで見込みが低いことを示している。
【００３０】
このデータをシガレット製造に有効に使用するために、包装紙は、上述のＫ１、Ｋ２、Ｋ３、Ｋ２、Ｋ１パターンに応じて縦方向長さに沿って繰り返す帯領域を用いて調製される。所定の帯パターンを有する包装紙は、シガレット製造中に装飾機械内に給送され、タバコ円柱体の第１のカットが、約１２ｍｍから１８ｍｍの範囲に入る所定距離だけ第１の帯領域３０（図２参照）から離間した位置で作られる。従って、タバコ円柱体の各連続するカットは、２倍長タバコロッドを調製し、これは、次に、２つのシガレットを作るために切断される。上述のようにフィルタを付加することができる。ここで図６を参照すると、望ましい切断作業は、帯領域３０及び／又は３２の検出時に信号を発生するようになったセンサ１２０と、センサ１２０が発生した信号に応答して切断機１２４を作動させるようになったプロセッサ１２２とを有するロッド製造機１０３において達成される。
【００３１】
この工程を用いて、各シガレット２０（図１参照）は、シガレットの着火又は着火可能端部から所定距離に位置決めされた第１の帯領域を有することになる。更に、２０のパックにおける各シガレットでは、そのようなシガレットはまた、シガレット端部から所定距離に位置決めされた第１の帯領域を有することになる。この見当合わせ方法及び包装紙構成工程を使用して、所望の特性次第で他の帯とは異なる方法で選択された帯を取り扱うことも可能である。例えば、喫煙の楽しみを高めるために第１の帯領域に香味料を付加することが可能であろう。担体上に放置された時にシガレットを統計的により頻繁に消火することができるように、シガレットの最後の帯領域を修正することも可能であると考えられる。例えば、最後の帯領域は、追加の付加材料又はより広い幅を含むことができるであろう。
様々な実施形態を説明したが、当業者には明らかなように変形及び修正の手段に頼ることができることは理解されるものとする。そのような変形及び修正は、本明細書に添付の特許請求の範囲の視野及び範囲内であると考えるものとする。
【符号の説明】
【００３２】
２０  シガレット
２３  帯付き包装紙
３２  帯領域
【図１】
2010537066.tif 000004
【図２】
2010537066.tif 000005
【図３】
2010537066.tif 000006
【図４】
2010537066.tif 000007
【図５】
2010537066.tif 000008
【図６】
2010537066.tif 000009
【国際調査報告】
2010537066.tif 000010
2010537066.tif 000011
2010537066.tif 000012